(57)【要約】【課題】内部にオゾンガス生成装置を有する受話器を提供する。【解決手段】  本考案の内部にオゾンガス生成装置を有する受話器１は、受話器に滅菌装置を提供し、受話器ハウジング内部１０、好ましくは、送話口に近接するところに空間を設け、その空間を利用して、尖端放電方式によりオゾンガスを生成するような、小型化オゾンガス生成装置２を設置し、受話器がフック状態の時、直接、電話の内接電源を引用し、オゾンガス生成装置２を起動すると共に、生成されたオゾンガスは、受話器ハウジング１０上の孔槽１５から外に発散され、受話器本体１、或いは、周囲に対し、殺菌、消毒、空気浄化の作用を生成する。【選択図】  図１
0003107144.tif 000002
【実用新案登録請求の範囲】
【請求項１】
オゾンガス生成装置を内設する受話器であって、前記受話器は、ハウジングと内部電子素子とからなり、送話口、受話口、及び、手握部、を有し、その特徴は、前記受話器ハウジング内部に空間を設け、その空間に、オゾンガス生成装置を設置し、前記受話器と電話間に、触接式導電装置を設け、前記受話器がフック状態の時、前記受話器は、前記触接式導電装置により電話と導通し、前記受話器内のオゾンガス生成装置は、直接、電話が接続する電源を引用して起動すると共に、生成されたオゾンガスは、受話器ハウジングに設けられた孔から外に発散されることを特徴とするオゾンガス生成装置を内設する受話器。
【請求項２】
前記触接式導電装置は、前記受話器の送話口底縁に導電片を設置し、且つ、前記受話器内の前記オゾンガス生成装置の電源線と連接し、また、前記電話の凹槽上の対応する位置に、導電片を設置し、前記受話器を凹槽にフックした状態の時、前記受話器内の前記オゾンガス生成装置の電源供給線は、前記触接式導電装置により、前記電話の電源に連接され起動し、オゾンガスを生成することを特徴とする請求項１に記載のオゾンガス生成装置を内設する受話器。
【請求項３】
前記オゾンガス生成装置は、絶縁ケーシング内に容置されることを特徴とする請求項１に記載のオゾンガス生成装置を内設する受話器。
【請求項４】
前記オゾンガス生成装置は、ケーシング内部の底に近い箇所に回路板を設け、前記回路板上に変圧器を備え、前記回路板上方に、数本の電極鋭針、及び、相反する電極の電極孔洞板を固設し、前記電極孔洞板上に、各電極鋭針に対応する孔洞を有し、前記回路板は、もう一方に、二つの正負導線を外接し、マウスのUSBプラグ中の電源線と連接し、また、絶縁ケーシング内部は、エポキシ樹脂等の絶縁樹脂層を充填し、前記回路板を被覆して、好ましい、絶縁、隔熱効果を形成して、上述のような構造により、前記オゾンガス生成装置の容積を効果的に縮小し、優先マウス本体内に容易に装着使用できることを特徴とする請求項３、或いは、４に記載のオゾンガス生成装置を内設する受話器。
【請求項５】
前記受話器のハウジング上に予め設置された孔槽は、受話器の送話口と受話口に予め設置された音声チャネルであることを特徴とする請求項１に記載のオゾンガス生成装置を内設する受話器。
【請求項６】
前記電話の電源は、導線により外接される電源であることを特徴とする請求項１に記載のオゾンガス生成装置を内設する受話器。
【請求項７】
前記電話の電源は、直接、コンピュータホストと連接使用されるコンピュータホスト電源であることを特徴とする請求項１に記載のオゾンガス生成装置を内設する受話器。
【考案の詳細な説明】
【技術分野】
【０００１】
本考案は、内部にオゾンガス生成装置を有する受話器に関するものであって、特に、受話器に、尖端放電方式によりオゾンを生成する小型化オゾンガス生成装置を設置し、受話器がフック状態の時、直接、電話の内接電源を引用し、オゾンガス生成装置を起動すると共に、生成されたオゾンは、受話器ハウジング孔槽から外に発散され、受話器本体、或いは、周囲に対し、殺菌、消毒、空気浄化の作用を生成する内部にオゾンガス生成装置を有する受話器に関するものである。
【背景技術】
【０００２】
電話は常用器具であり、使用時に、使用者の身体（手、耳、口）間に、直接、或いは、近距離の接触を伴うので、電話は、病原菌を散布する媒介となりやすい。特に、オフィスの電話は、不特定多数の者が使用するものであり、衛生が非常に重要で、多くの電話、或いは、受話器の衛生目的で設計された発明が多数ある。例えば、米国特許番号第４６１３９２８号で開示された受話器の送話口は、透明材料からなり、滅菌可能な光線を、送話口上に投射して、殺菌功能を達成する。また、米国特許番号第４７３６４１６号では、内設された電極の真空管、及び、真空管に合わせた円柱状の金属網シリンダを利用して、オゾンガスを発生させて、送話口に殺菌功能を提供するものである。また、米国特許番号第６３０１３５９B１号、及び、６４９０３５１B１では、紫外線を照射すると共に、微量のオゾンガスを生成し、受話器の送話口、或いは、受話口に対し殺菌功能を提供するものである。しかし、上述の発明が提供する滅菌装置は、体積が大きく、各発明の好ましい実施例中には、滅菌装置を一般に常用する受話器に設置したものがなく、滅菌装置を受話器ハウジング上に設置した、例えば、米国特許第４７３６４１６号、或いは、電話機ハウジングの外に滅菌装置を有した構造体を開示する米国特許第６３０１３５９B１、及び、第６４９０３５１B１などは、電話の外観を損ね、使用者の購買意欲に影響し、また、実際の使用時も、不便で、普及化が達成されない。
【特許文献１】特開平０６−１０４９６６号公報
【考案の開示】
【考案が解決しようとする課題】
【０００３】
本考案は、内部にオゾンガス生成装置を有する受話器を提供し、受話器ハウジング内部に空間を設け、その空間は送話口に近接するところが好ましく、空間を利用して、小型化オゾンガス生成装置を設置し、受話器がフック状態の時、直接、電話の内接電源を引用し、オゾンガス生成装置を起動すると共に、生成されたオゾンは、受話器ハウジング上の孔槽から外に発散され、受話器本体、或いは、周囲に対し、殺菌、消毒、空気浄化の作用を生成することを目的とする。
【０００４】
本考案は、内部にオゾンガス生成装置を有する受話器を提供し、尖端放電方式により小型化オゾンガス生成装置を構成し、受話器内部に設置して、小型化滅菌装置を形成することをもう一つの目的とする。
【０００５】
本考案は、内部にオゾンガス生成装置を有する受話器を提供し、受話器と電話間に触接式導電装置を設置し、受話器の送話口底縁に導電片を設置すると共に、電話の凹槽上の対応する位置に導電片を設置し、受話器を凹槽にフックした状態の時、二者間の導電装置は、触接連通し、受話器内のオゾンガス生成装置は、直接、電話の電源を引用し、オゾンの生成を起動することを更なる目的とする。
【課題を解決するための手段】
【０００６】
上述の目的を実現するため、本考案の内部にオゾンガス生成装置を有する受話器は、受話器に滅菌装置を提供し、受話器ハウジング内部、好ましくは、送話口に近接するところに空間を設け、その空間を利用して、尖端放電方式によりオゾンガスを生成するような、小型化オゾンガス生成装置を設置し、受話器がフック状態の時、直接、電話の内接電源を引用し、オゾンガス生成装置を起動すると共に、生成されたオゾンガスは、受話器ハウジング上の孔槽から外に発散され、受話器本体、或いは、周囲に対し、殺菌、消毒、空気浄化の作用を生成する。
【０００７】
本考案のオゾンガス生成装置を内設する受話器は、請求項１に記載するように、
ハウジングと内部電子素子とからなり、送話口、受話口、及び、手握部、を有し、その特徴は、前記受話器ハウジング内部に空間を設け、その空間に、オゾンガス生成装置を設置し、前記受話器と電話間に、触接式導電装置を設け、前記受話器がフック状態の時、前記受話器は、前記触接式導電装置により電話と導通し、前記受話器内のオゾンガス生成装置は、直接、電話が接続する電源を引用して起動すると共に、生成されたオゾンガスは、受話器ハウジングに設けられた孔から外に発散されることを特徴とする。
【０００８】
請求項２に記載するように、前記触接式導電装置は、前記受話器の送話口底縁に導電片を設置し、且つ、前記受話器内の前記オゾンガス生成装置の電源線と連接し、また、前記電話の凹槽上の対応する位置に、導電片を設置し、前記受話器を凹槽にフックした状態の時、前記受話器内の前記オゾンガス生成装置の電源供給線は、前記触接式導電装置により、前記電話の電源に連接され起動し、オゾンガスを生成することを特徴とする。
【０００９】
請求項３に記載するように、前記オゾンガス生成装置は、絶縁ケーシング内に容置されることを特徴とする。
請求項４に記載するように、前記オゾンガス生成装置は、ケーシング内部の底に近い箇所に回路板を設け、前記回路板上に変圧器を備え、前記回路板上方に、数本の電極鋭針、及び、相反する電極の電極孔洞板を固設し、前記電極孔洞板上に、各電極鋭針に対応する孔洞を有し、前記回路板は、もう一方に、二つの正負導線を外接し、マウスのUSBプラグ中の電源線と連接し、また、絶縁ケーシング内部は、エポキシ樹脂等の絶縁樹脂層を充填し、前記回路板を被覆して、好ましい、絶縁、隔熱効果を形成して、上述のような構造により、前記オゾンガス生成装置の容積を効果的に縮小し、優先マウス本体内に容易に装着使用できることを特徴とする。
請求項５に記載するように、前記受話器のハウジング上に予め設置された孔槽は、受話器の送話口と受話口に予め設置された音声チャネルであることを特徴とする。
請求項６に記載するように、前記電話の電源は、導線により外接される電源であることを特徴とする。
請求項７に記載するように、前記電話の電源は、直接、コンピュータホストと連接使用されるコンピュータホスト電源であることを特徴とする。
【考案の効果】
【００１０】
容積が小さく、受話器本体、或いは、周囲に対し、殺菌、消毒、空気浄化の作用を生成することができるオゾンガス生成装置を有する受話器が提供される。
【考案を実施するための最良の形態】
【００１１】
図１、図２で示されるように、本考案の受話器１は、外ハウジング１０、及び、内部の電子素子１１（マイクロフォンなど）からなり、送話口１２、受話口１３、及び、手握部１４、を有し、その特徴は、受話器１の外ハウジング１０内部で、例えば、図で示されるように、送話口１２に近接するところなど、適当な空間を選択し、小型化のオゾンガス生成装置２を設置して、受話器１を電話３の凹槽３１内に掛置し、図６、図８で示されるようなフック状態の時、受話器１は、触接式導電装置４により、電話３と導通し、直接、電話３に接続される電源を引用し、オゾンガス生成装置２を起動して、オゾンガスを生成すると共に、オゾンガスを受話器１の送話口１２、受話口１３、及び、手握部１４にまで流通させ、各部の外ハウジング１０上に予設された、例えば、送話口１２、受話口１３が有する音声チャネル及び手握部１４上の孔槽１５などの孔槽１５により、外に発散する。これにより、受話器１本体、或いは、電話３周囲に、殺菌、消毒、空気浄化のオゾン効果を提供し、病原菌の屯積や散布を防止する。
【００１２】
一般の受話器１の内部空間には限りがあるので、オゾンガス生成装置は、受話器１のハウジング内に容易に装着でき、受話器１の使用功能に影響を与えてはいけない。また、使用するオゾンガス生成装置は、少なくとも、小型化、モジュール化に符合していなければならない。図３〜図５は、本考案が使用するオゾンガス生成装置２の実施例を示す図で、尖端放電方式により、オゾンガスを生成し、図３で示されるような直方体の絶縁ケーシング２０と、ケーシング２０内の底部にある回路板２１と、回路板２１上に設置され、電源電圧を高電圧低電流に転換する小型変圧器２２と、からなる。回路板２１上には、数本の電極鋭針２３、及び、相反する電極の電極孔洞板２４を固設し、電極孔洞板２４上に、各電極鋭針２３に対応する孔洞２５を有する。各孔洞中心は、ちょうど、電極鋭針２３の尖端で、回路板２１は、もう一方に、二つの正負導線２６（電源供給線）を外接し、電源を外接する。絶縁ケーシング２０内部は、エポキシ樹脂等の絶縁樹脂層２７を充填し、回路板２１を被覆して、好ましい、絶縁、隔熱効果を形成する。上述のような構造により、オゾンガス生成装置２の容積を効果的に縮小し、受話器１内に容易に装着使用できる。使用時、電極鋭針２３は、高電圧を受けて、尖端放電し、相反する電極の電極孔洞板２４上の孔洞２５の電極間にストーム現象が生じ、近接する空気にイオン化現象を生じさせ、空気中の酸素分子が陰イオンを帯び、オゾンを生成する。また、図５で示される回路の尖端放電作用により、マイナスイオンを生成させ、人体に有益なマイナスイオン効果をもたらす。
【００１３】
現在使用される電話は、図６で示されるような無線電話、図９で示されるようなインターンネット電話、及び、図１１で示されるような一般の電話、があり、無線電話、インターネット電話、或いは、一般の電話が連接使用する電源は異なるので、本考案の受話器１内のオゾンガス生成装置２が使用する電源も異なり、以下でそれぞれ説明する。
【００１４】
図６で示されるように、無線電話装置５は、無線受話器１aと電話（親機）３aからなり、電話（親機）３aは電話線（局線）３２を連接する他、導線３３により、その他の電源（室内の一般電源）を外接し、無線システム中の信号の発射と受信の駆動電源とする必要があり、無線受話器１a上に、充電電池を配置して、無線システムの信号の発射と受信の駆動電源とし、無線受話器１aと電話（親機）３a間に、図７で示されるような触接式導電装置４を設け、無線受話器１aの送話口１２底縁に、導電片４１を設け、電話３aの凹槽３１上の対応位置に、対応する導電片４２を設置する。受話器１aを凹槽３１にフックした状態の時、導電片４１、４２は触接し、受話器１a内の充電電池は、触接式導電装置４の導通により、電話３aの電源と連接する。これにより、本考案は、受話器１a内に設けられたオゾンガス生成装置２の正負導線２６（電源供給線）が、導電片４１に連接し、受話器１aがフック状態の時、オゾンガス生成装置２は、直接、電話３aの電源を引用して起動し、オゾンガスを生成する。オゾンガス生成装置２の作動方式は、回路設計により予め設定する。例えば、フック状態の時、同時に、一定時間（例えば３０秒）作動させて、自動的に切るか、フック状態中に、断片的に作動させ、毎分毎に、一定時間作動させる。上述のような作動方式により、回路設計は簡単な技術に属するのでここで詳述しない。
【００１５】
図９、図１０で示されるように、インターネット電話（IP）装置６は、受話器１bと電話３bとからなり、電話（親機）３bは、一般には、電話線３２とモデムを連接して、インターネットに接続し、更に、導線３３により電源を外接し、受話器１bと電話３b間に、触接式導電装置４を設置し、受話器１bの送話口１２底縁に、導電片４１を設け、且つ、受話器１a内のオゾンガス生成装置２の正負導線２６（電源供給線）を導電片４１に連接し、電話３bの凹槽３１上の対応する位置に、対応する導電片４２を設置する。受話器１bを凹槽３１にフックした状態の時、オゾンガス生成装置２は、直接、電話３bの電源を引用して起動し、オゾンガスを生成する。オゾンガス生成装置２の作動方式は、無線電話装置５のように、予め設定することができる。また、もし、電話３bが直接、コンピュータホストと連接して使用される場合、オゾンガス生成装置２は、直接、コンピュータホストの電源を起動電源とする。
【００１６】
図１１、図１２で示されるように、一般の電話装置７は、受話器１cと電話３cとからなり、電話３cは、電話線だけを接続し、電話線が提供する電源には限りがあり、通常は、オゾンガス生成装置２を起動することが出来ない。故に、導線３３で電源を外接し、更に、触接式導電装置４を連接導通し、本考案の受話器１c内に設けられたオゾンガス生成装置２の正負導線２６（電話供給線）は、電話３cの内接電源と連接し、受話器１cを凹槽３１にフックした状態の時、オゾンガス生成装置２は、直接、電話３cの外接電源を引用して起動し、オゾンガスを生成する。オゾンガス生成装置２の作動方式は、無線電話装置５、或いは、インターネット電話装置６のように、予め設定することができる。
【図面の簡単な説明】
【００１７】
【図１】本考案の実施例による側面局部断面図である。
【図２】図１中の受話器の正面局部断面図である。
【図３】図１中のオゾンガス生成装置の実施例の拡大図である。
【図４】図３のオゾンガス生成装置の側面断面図である。
【図５】図３のオゾンガス生成装置の回路図である。
【図６】本考案を無線電話に使用する実施例の立体図である。
【図７】図６中の受話器と電話間の触接式導電装置の立体図である。
【図８】図６中の使用状態を示す側面断面図である。
【図９】本考案をインターネット電話に使用する実施例の立体図である。
【図１０】図９の受話器と電話間の触接式導電装置の立体図である。
【図１１】本考案を一般電話に使用する実施例の立体図である。
【図１２】図１０の受話器と電話間の触接式導電装置の立体図である。
【符号の説明】
【００１８】
１、１a、１b、１c…受話器
１０…ハウジング
１１…電子素子
１２…送話口
１３…受話口
１４…手握部
１５…孔槽
２…オゾンガス生成装置
２０…ケーシング
２１…回路板
２２…変圧器
２３…電極鋭針
２４…電極孔洞板
２５…孔洞
２６…導線
２７…絶縁樹脂層
３、３a、３b、３c…電話
３１…凹槽
３２…電話線
３３…導線
４…触接式導電装置
４１、４２…導電片
５…無線電話装置
６…インターネット電話装置
７…一般電話
【図１】
0003107144.tif 000003
【図２】
0003107144.tif 000004
【図３】
0003107144.tif 000005
【図４】
0003107144.tif 000006
【図５】
0003107144.tif 000007
【図６】
0003107144.tif 000008
【図７】
0003107144.tif 000009
【図８】
0003107144.tif 000010
【図９】
0003107144.tif 000011
【図１０】
0003107144.tif 000012
【図１１】
0003107144.tif 000013
【図１２】
0003107144.tif 000014